(57)【要約】【課題】表示部の配置向きが変更されても、臨場感のある音を得る。【解決手段】表示装置は、表示画面に画像を表示する表示部と、表示部の配置向きを検出する向き検出部と、自装置の表示部に、隣接配置されている他の表示装置の表示部の有無を検出する隣接検出部と、向き検出部が検出した配置向きと、隣接検出部が検出した他の表示装置の表示部の有無とに基づいて自装置の表示部の水平方向に所定の間隔で配置されている少なくとも１対の音出力部のうちの、水平方向に隣接配置されている他の表示装置の側の音出力部への音の出力を停止させる音出力制御部とを備える。【選択図】図９
2020088450.tif 000002
【特許請求の範囲】
【請求項１】
表示画面に画像を表示する表示部と、
前記表示部の配置向きを検出する向き検出部と、
自装置の前記表示部に、隣接配置されている他の表示装置の表示部の有無を検出する隣接検出部と、
前記向き検出部が検出した配置向きと、前記隣接検出部が検出した前記他の表示装置の表示部の有無とに基づいて、前記自装置の前記表示部の水平方向に所定の間隔で配置されている少なくとも１対の音出力部のうちの、前記水平方向に隣接配置されている前記他の表示装置の側の前記音出力部への音の出力を停止させる音出力制御部と
を備えることを特徴とする表示装置。
【請求項２】
前記音出力制御部は、前記配置向きと、前記他の表示装置の表示部の有無とに基づいて、前記水平方向に隣接配置されている前記他の表示装置があるか否かを判定し、前記水平方向に隣接配置されている前記他の表示装置がある場合に、前記水平方向に隣接配置されている前記他の表示装置の側の前記音出力部への音の出力を停止させる
ことを特徴とする請求項１に記載の表示装置。
【請求項３】
前記隣接検出部は、前記配置向きに基づいて、前記水平方向に直交する鉛直方向の検出を停止する
ことを特徴とする請求項１又は請求項２に記載の表示装置。
【請求項４】
前記音出力制御部は、前記配置向きに基づいて、前記水平方向に直交する鉛直方向を判定し、前記隣接検出部に、前記鉛直方向の検出を停止させる
ことを特徴とする請求項１又は請求項２に記載の表示装置。
【請求項５】
前記表示画面の平行する２辺に平行な第１方向に所定の間隔で配置されている、少なくとも１対の前記音出力部を有する第１ステレオ出力部と、
前記第１方向に直交する第２方向に所定の間隔で配置されている少なくとも１対の前記音出力部である第２ステレオ出力部と
を備え、
前記音出力制御部は、前記第１ステレオ出力部と、前記第２ステレオ出力部とのうちから前記水平方向に対応する前記少なくとも１対の音出力部を選択する
ことを特徴とする請求項１から請求項４のいずれか一項に記載の表示装置。
【請求項６】
前記音出力制御部は、前記配置向きに応じて、前記第１ステレオ出力部への出力と、前記第２ステレオ出力部への出力とを切り替える
ことを特徴とする請求項５に記載の表示装置。
【請求項７】
前記表示画面の４つの角周辺部のそれぞれに配置された前記音出力部を備え、
前記４つの角周辺部のそれぞれに配置された前記音出力部が、前記第１ステレオ出力部と、前記第２ステレオ出力部との両方として機能する
ことを特徴とする請求項６に記載の表示装置。
【請求項８】
前記隣接検出部は、赤外線を発光する赤外線発光部と、前記他の表示装置からの前記赤外線を受光する赤外線発光部とを備える
ことを特徴とする請求項１から請求項７のいずれか一項に記載の表示装置。
【請求項９】
請求項１から請求項８のいずれか一項に記載の表示装置を複数備え、当該複数の表示装置の前記表示部を並べて配置して１つの表示画面を表示する
ことを特徴とする表示システム。
【請求項１０】
表示画面に画像を表示する表示部を備える表示装置の制御方法であって、
向き検出部が、前記表示部の配置向きを検出する向き検出ステップと、
隣接検出部が、自装置の前記表示部に、隣接配置されている他の表示装置の表示部の有無を検出する隣接検出ステップと、
音出力制御部が、前記向き検出ステップによって検出された配置向きと、前記隣接検出ステップによって検出された前記他の表示装置の表示部の有無とに基づいて、前記自装置の前記表示部の水平方向に所定の間隔で配置されている少なくとも１対の音出力部のうちの、前記水平方向に隣接配置されている前記他の表示装置の側の前記音出力部への音の出力を停止させる音出力制御ステップと
を含むことを特徴とする制御方法。
【発明の詳細な説明】
【技術分野】
【０００１】
本発明は、表示装置、表示システム、及び制御方法に関する。
【背景技術】
【０００２】
近年、複数の表示装置を並べて配置して１つの表示画面として使用するマルチ表示を行う技術が知られている。このような従来の技術では、例えば、スピーカを備えた表示装置を並べて設置した場合、そのままでは表示装置が隣り合った面ではスピーカからの隣接する表示装置の左右の音が重なってしまい、臨場感のある音を得ることが困難であった。このような場合に対応するために、例えば、特許文献１には、使用するスピーカを選択し制御する技術が記載されている。
【先行技術文献】
【特許文献】
【０００３】
【特許文献１】特開２００７−１６４０６０号公報
【発明の概要】
【発明が解決しようとする課題】
【０００４】
しかしながら、上述した特許文献１では、例えば、表示部を横置き及び縦置きの両方の向きに配置して使用可能な場合に、表示部の配置向きに応じて適切にスピーカが選択されずに臨場感のある音を得られないことがあった。
【０００５】
本発明は、上記問題を解決すべくなされたもので、その目的は、表示部の配置向きが変更されても、臨場感のある音を得ることができる表示装置、表示システム、及び制御方法を提供することにある。
【課題を解決するための手段】
【０００６】
上記問題を解決するために、本発明の一態様は、表示画面に画像を表示する表示部と、前記表示部の配置向きを検出する向き検出部と、自装置の前記表示部に、隣接配置されている他の表示装置の表示部の有無を検出する隣接検出部と、前記向き検出部が検出した配置向きと、前記隣接検出部が検出した前記他の表示装置の表示部の有無とに基づいて、前記自装置の前記表示部の水平方向に所定の間隔で配置されている少なくとも１対の音出力部のうちの、前記水平方向に隣接配置されている前記他の表示装置の側の前記音出力部への音の出力を停止させる音出力制御部とを備えることを特徴とする表示装置である。
【０００７】
また、本発明の一態様は、表示画面に画像を表示する表示部を備える表示装置の制御方法であって、検出部が、前記表示部の配置向きを検出する向き検出ステップと、隣接検出部が、自装置の前記表示部に、隣接配置されている他の表示装置の表示部の有無を検出する隣接検出ステップと、音出力制御部が、前記向き検出ステップによって検出された配置向きと、前記隣接検出ステップによって検出された前記他の表示装置の表示部の有無とに基づいて、前記自装置の前記表示部の水平方向に所定の間隔で配置されている少なくとも１対の音出力部のうちの、前記水平方向に隣接配置されている前記他の表示装置の側の前記音出力部への音の出力を停止させる音出力制御ステップとを含むことを特徴とする制御方法である。
【発明の効果】
【０００８】
本発明によれば、表示部の配置向きが変更されても、臨場感のある音を得ることができる。
【図面の簡単な説明】
【０００９】
【図１】第1の実施形態による表示装置の一例を示す外観図である。
【図２】第1の実施形態による表示装置の一例を示すブロック図である。
【図３】第1の実施形態による表示装置を横置きに配置した場合の動作を説明する図である。
【図４】第1の実施形態による表示装置を縦置きに配置した場合の動作を説明する図である。
【図５】第1の実施形態による表示装置を横置きに配置した場合の表示システムの一例を示す外観図である。
【図６】第1の実施形態による表示装置を縦置きに配置した場合の表示システムの一例を示す外観図である。
【図７】第1の実施形態による表示装置を動作の一例を示すフローチャートである。
【図８】第２の実施形態による表示装置の一例を示すブロック図である。
【図９】第３の実施形態による表示装置の一例を示すブロック図である。
【図１０】第４の実施形態による表示装置の一例を示す外観図である。
【発明を実施するための形態】
【００１０】
以下、本発明の一実施形態による表示装置、表示システム、及び制御方法について、図面を参照して説明する。
【００１１】
［第１の実施形態］
図１は、第１の実施形態による表示装置１の一例を示す外観図である。また、図１は、第１の実施形態による表示装置１の一例を示すブロック図である。
図１及び図２に示すように、表示装置１は、向き検出部１１と、音出力制御部１２と、表示制御部１３と、隣接検出部２０と、スピーカ３０（３１〜３４）と、表示部４０とを備える。表示装置１は、表示部４０の表示画面４１の長辺が水平になるように配置する横置きと、表示画面４１の短辺が水平になるように配置する縦置きとの両方の配置向きで使用可能であり、複数の表示装置１（の表示部４０）を並べることでマルチ表示システムを構築可能な表示装置である。
【００１２】
なお、本実施形態において、表示画面４１の長辺に平行な方向を長辺方向Ｌ１（第1方向）とし、表示画面４１の短辺に平行な方向を短辺方向Ｌ２（第２方向）として説明する。
また、本実施形態において、スピーカ３１〜スピーカ３４は、表示装置１が備える任意のスピーカを示す場合、又は特に区別しない場合には、スピーカ３０として説明する。
【００１３】
向き検出部１１は、例えば、加速度センサなどの重力センサであり、表示部４０（表示画面４１）の配置向きを検出する。向き検出部１１は、重力の向きを検出し、例えば、重力の向きが、長辺方向Ｌ１と短辺方向Ｌ２とのいずれと一致するか否かにより、配置向きが横置きの向きであるか、縦置きの向きであるかを検出する。向き検出部１１は、例えば、重力の向きが短辺方向Ｌ２と一致する場合に、横置きの向きであると検出し、重力の向きが長辺方向Ｌ１と一致する場合に、縦置きの向きであると検出する。例えば、図１に示す表示装置１は、横置きの向きに配置されており、この場合、向き検出部１１は、横置きの向きであると検出する。
【００１４】
なお、表示画面４１が横置きの向きである場合に、長辺方向Ｌ１が水平方向であり、短辺方向Ｌ２が鉛直方向である。また、表示画面４１が縦置きの向きである場合に、短辺方向Ｌ２が水平方向であり、長辺方向Ｌ１が鉛直方向である。
向き検出部１１は、検出した配置向きを、隣接検出部２０、音出力制御部１２、及び表示制御部１３に出力する。
【００１５】
隣接検出部２０は、自装置の表示部４０に、隣接配置されている他の表示装置１の表示部４０の有無（以下、他の表示装置１の有無という）を検出する。隣接検出部２０は、長辺方向Ｌ１に隣接配置されている他の表示装置１の有無と、短辺方向Ｌ２に隣接配置されている他の表示装置１の有無と、の両方を検出可能である。
【００１６】
また、隣接検出部２０は、例えば、向き検出部１１が検出した配置向きに基づいて、水平方向に直交する鉛直方向の検出を停止する。すなわち、隣接検出部２０は、配置向きに基づいて、長辺方向Ｌ１と短辺方向Ｌ２とのいずれが水平方向であるかを判定する。そして、隣接検出部２０は、水平方向に隣接する他の表示装置１の有無の検出を動作させ、水平方向と直交する鉛直方向に隣接する他の表示装置１の有無の検出を停止する。
【００１７】
また、隣接検出部２０は、赤外線発光部２１（２１１〜２１４）と、赤外線受光部２２（２２１〜２２４）を備える。なお、赤外線発光部２１１〜２１４は、同一の構成であり、表示装置１が備える任意の赤外線発光部を示す場合、又は特に区別しない場合には、赤外線発光部２１として説明する。また、赤外線受光部２２１〜２２４は、同一の構成であり、表示装置１が備える任意の赤外線受光部を示す場合、又は特に区別しない場合には、赤外線受光部２２として説明する。
【００１８】
赤外線発光部２１は、例えば、赤外線発光素子であり、赤外線を他の表示装置１の赤外線受光部２２に向けて照射する。赤外線発光部２１１及び赤外線発光部２１２は、長辺方向Ｌ１に隣接する（短辺に隣接する）他の表示装置１に向けて赤外線を照射する。すなわち、表示装置１を横置きの向きに配置した場合に、赤外線発光部２１１及び赤外線発光部２１２は、表示装置１の短辺側面に配置されている。
【００１９】
また、赤外線発光部２１３及び赤外線発光部２１４は、短辺方向Ｌ２に隣接する（長辺に隣接する）他の表示装置１に向けて赤外線を照射する。すなわち、表示装置１を横置きの向きに配置した場合に、赤外線発光部２１３及び赤外線発光部２１４は、表示装置１の短辺側面に配置されている。
【００２０】
赤外線受光部２２は、例えば、赤外線受光素子であり、他の表示装置１の赤外線発光部２１から照射された赤外線を受光して、隣接配置されている表示装置１の有無を検出する。赤外線受光部２２１及び赤外線受光部２２２は、長辺方向Ｌ１に隣接する（短辺に隣接する）他の表示装置１の有無を検出する。すなわち、表示装置１を横置きの向きに配置した場合に、赤外線受光部２２１及び赤外線受光部２２２は、表示装置１の短辺側面に配置されている。
【００２１】
また、赤外線受光部２２３及び赤外線受光部２２４は、短辺方向Ｌ２に隣接する（長辺に隣接する）他の表示装置１の有無を検出する。すなわち、表示装置１を横置きの向きに配置した場合に、赤外線受光部２２３及び赤外線受光部２２４は、表示装置１の長辺側面に配置されている。
【００２２】
例えば、図１に示す例では、赤外線発光部２１１及び赤外線受光部２２１が、左側の短辺側面に配置され、赤外線発光部２１２及び赤外線受光部２２２が、右側の短辺側面に配置されている。また、赤外線発光部２１３及び赤外線受光部２２３が、上側の長辺側面に配置され、赤外線発光部２１４及び赤外線受光部２２４が、上側の長辺側面に配置されている。
【００２３】
また、図１に示す例では、隣接検出部２０は、水平方向（長辺方向Ｌ１）に隣接する他の表示装置１の有無の検出を動作させるために、赤外線受光部２２１及び赤外線受光部２２２を動作させる。また、隣接検出部２０は、鉛直方向（短辺方向Ｌ２）に隣接する他の表示装置１の有無の検出を停止させるために、赤外線受光部２２３及び赤外線受光部２２４を停止させる。なお、隣接検出部２０は、赤外線発光部２１（２１１〜２１４）についても、赤外線受光部２２と同様の制御を行ってもよいし、常に動作させるようにしてもよい。
【００２４】
スピーカ３０（音出力部の一例）は、例えば、４つの角周辺部に配置されている。例えば、図１に示す例では、スピーカ３１は、左上角の周辺部に配置され、スピーカ３２は、右上角の周辺部に配置されている。また、スピーカ３３は、左下角の周辺部に配置され、スピーカ３４は、右下角の周辺部に配置されている。
【００２５】
また、スピーカ３１とスピーカ３２とは、横置ステレオ出力部ＳＴ１−１を構成し、スピーカ３３とスピーカ３４とは、横置ステレオ出力部ＳＴ１−２を構成している。ここで、横置ステレオ出力部ＳＴ１−１及び横置ステレオ出力部ＳＴ１−２は、表示画面４１の平行する２辺（長辺）に平行な長辺方向Ｌ１に所定の間隔で配置されている、少なくとも１対のスピーカ３０を有する第１ステレオ出力部であり、特に区別しない場合には、横置ステレオ出力部ＳＴ１（第１ステレオ出力部）として説明する。横置ステレオ出力部ＳＴ１は、表示装置１が横置き配置された場合に、音のステレオ出力に使用される。
【００２６】
また、スピーカ３１とスピーカ３３とは、縦置ステレオ出力部ＳＴ２−１を構成し、スピーカ３２とスピーカ３４とは、縦置ステレオ出力部ＳＴ２−２を構成している。ここで、縦置ステレオ出力部ＳＴ２−１及び縦置ステレオ出力部ＳＴ２−２は、短辺方向Ｌ２に所定の間隔で配置されている、少なくとも１対のスピーカ３０を有する第２ステレオ出力部であり、特に区別しない場合には、縦置ステレオ出力部ＳＴ２として説明する。縦置ステレオ出力部ＳＴ２（第２ステレオ出力部）は、表示装置１が縦置き配置された場合に、音のステレオ出力に使用される。
【００２７】
なお、本実施形態では、スピーカ３１〜スピーカ３４が、横置ステレオ出力部ＳＴ１と、縦置ステレオ出力部ＳＴ２との両方として機能する。すなわち、スピーカ３１〜スピーカ３４は、表示装置１の配置向きに応じて、横置ステレオ出力部ＳＴ１として機能する場合と、縦置ステレオ出力部ＳＴ２として機能する場合とがある。
【００２８】
音出力制御部１２は、外部から入力された音信号に基づく音を、スピーカ３０から出力させる制御を行う。
音出力制御部１２は、上述した横置ステレオ出力部ＳＴ１と、縦置ステレオ出力部ＳＴ２とのうちから水平方向に対応する少なくとも１対のスピーカ３０を選択して音を出力させる。すなわち、音出力制御部１２は、向き検出部１１が検出した配置向きに応じて、横置ステレオ出力部ＳＴ１への出力と、縦置ステレオ出力部ＳＴ２への出力とを切り替える。
例えば、音出力制御部１２は、まず、向き検出部１１が検出した配置向きに基づいて、水平方向が、長辺方向Ｌ１と短辺方向Ｌ２とのうちのいずれであるかを判定する。音出力制御部１２は、横置ステレオ出力部ＳＴ１と縦置ステレオ出力部ＳＴ２とのうち、判定した水平方向に対応する方に切り替えて音出力する。
【００２９】
例えば、配置向きが横置きの向きである場合に、音出力制御部１２は、水平方向が長辺方向Ｌ１であると判定し、横置ステレオ出力部ＳＴ１に左右の音を出力するステレオ出力を行う。また、例えば、配置向きが縦置きの向きである場合に、音出力制御部１２は、水平方向が短辺方向Ｌ２であると判定し、縦置ステレオ出力部ＳＴ２に左右の音を出力するステレオ出力を行う。
【００３０】
また、音出力制御部１２は、向き検出部１１が検出した配置向きと、隣接検出部２０が検出した他の表示装置１の有無とに基づいて、自装置の表示部４０の水平方向に所定の間隔で配置されている少なくとも１対のスピーカ３０のうちの、水平方向に隣接配置されている他の表示装置１の側のスピーカ３０への音の出力を停止させる。音出力制御部１２は、配置向きと、他の表示装置１の有無とに基づいて、水平方向に隣接配置されている他の表示装置１があるか否かを判定する。音出力制御部１２は、水平方向に隣接配置されている他の表示装置１がある場合に、水平方向に隣接配置されている他の表示装置１の側のスピーカ３０への音の出力を停止させる。
【００３１】
なお、本実施形態では、隣接検出部２０による鉛直方向の検出を停止させているため、検出される隣接配置されている他の表示装置１は、水平方向に隣接配置されている他の表示装置１となる。そのため、音出力制御部１２は、隣接検出部２０が検出した他の表示装置１の側のスピーカ３０への音の出力を停止させる。また、音出力制御部１２によるスピーカ３０への音の出力を停止させる処理の詳細については、後述する。
【００３２】
表示制御部１３は、外部から入力された映像信号に基づく画像を表示部４０の表示画面４１に表示させる制御を行う。表示制御部１３は、向き検出部１１が検出した配置向きに応じて、画像の向きを切り替えて表示部４０に出力させる。
表示部４０は、例えば、液晶ディスプレイなどであり、表示制御部１３の制御に基づいて、表示画面４１に画像を表示する。
【００３３】
次に、図面を参照して、本実施形態による表示装置１の動作について説明する。
まず、図３及び図４を参照して、表示装置１の単体での動作について説明する。
図３は、本実施形態による表示装置１を横置きに配置した場合の動作を説明する図である。
図３に示すように、表示装置１を横置きに配置した場合に、表示装置１の向き検出部１１は、重力の向きを検出し、配置向きが横置きの向きであると検出する。向き検出部１１は、検出した配置向きを、隣接検出部２０、音出力制御部１２、及び表示制御部１３に出力する。
【００３４】
隣接検出部２０は、配置向きに基づいて、長辺方向Ｌ１が水平方向であるかを判定し、水平方向に隣接する他の表示装置１の有無の検出を動作させ、鉛直方向（短辺方向Ｌ２）に隣接する他の表示装置１の有無の検出を停止する。すなわち、隣接検出部２０は、短辺側面に配置されている赤外線受光部２２１及び赤外線受光部２２２を動作させて、長辺側面に配置されている赤外線受光部２２３及び赤外線受光部２２４を停止させる。
【００３５】
また、音出力制御部１２は、配置向きに基づいて、スピーカ３１とスピーカ３２との一対のスピーカ３０である横置ステレオ出力部ＳＴ１−１と、スピーカ３３とスピーカ３４との一対のスピーカ３０である横置ステレオ出力部ＳＴ１−２とを選択して、音信号に基づく音を出力する。すなわち、音出力制御部１２は、スピーカ３１及びスピーカ３３から左側の音を出力させ、スピーカ３２及びスピーカ３４から右側の音を出力させる。
また、表示制御部１３は、映像信号に基づく画像を横置き配置用の画像に変換して、表示部４０に表示させる。
【００３６】
また、図４は、本実施形態による表示装置１を縦置きに配置した場合の動作を説明する図である。
図４に示すように、表示装置１を縦置きに配置した場合に、表示装置１の向き検出部１１は、重力の向きを検出し、配置向きが縦置きの向きであると検出する。向き検出部１１は、検出した配置向きを、隣接検出部２０、音出力制御部１２、及び表示制御部１３に出力する。
【００３７】
隣接検出部２０は、配置向きに基づいて、短辺方向Ｌ２が水平方向であるかを判定し、水平方向に隣接する他の表示装置１の有無の検出を動作させ、鉛直方向（長辺方向Ｌ１）に隣接する他の表示装置１の有無の検出を停止する。すなわち、隣接検出部２０は、長辺側面に配置されている赤外線受光部２２３及び赤外線受光部２２４を動作させて、短辺側面に配置されている赤外線受光部２２１及び赤外線受光部２２２を停止させる。
【００３８】
また、音出力制御部１２は、配置向きに基づいて、スピーカ３２とスピーカ３４との一対のスピーカ３０である縦置ステレオ出力部ＳＴ２−１と、スピーカ３１とスピーカ３３との一対のスピーカ３０である縦置ステレオ出力部ＳＴ２−２とを選択して、音信号に基づく音を出力する。すなわち、音出力制御部１２は、スピーカ３２及びスピーカ３１から左側の音を出力させ、スピーカ３４及びスピーカ３３から右側の音を出力させる。
また、表示制御部１３は、映像信号に基づく画像を横置き配置用の画像に変換して、表示部４０に表示させる。
【００３９】
次に、図５及び図６を参照して、複数の表示装置１を用いて表示システム１００を構成した場合の動作について説明する。
図５は、本実施形態による表示装置１を横置きに配置した場合の表示システム１００の一例を示す外観図である。
図５に示すように、表示システム１００は、横置きに配置した表示装置１を４台備え、当該４台の表示装置１の表示部４０を並べて配置して１つの表示画面を表示するマルチ表示システムである。
【００４０】
図５に示す例では、左上に配置した表示装置１を表示装置１−１とし、右上に配置した表示装置１を表示装置１−２とする。また、左下に配置した表示装置１を表示装置１−３とし、右下に配置した表示装置１を表示装置１−４とする。
【００４１】
表示装置１−１及び表示装置１−３の隣接検出部２０は、右側の短辺側面に配置された赤外線受光部２２２により、隣接配置された他の表示装置１（表示装置１−２及び表示装置１−４）があることを検出する。そのため、音出力制御部１２は、右側の音を出力させるスピーカ３２及びスピーカ３４への出力を停止させる。
【００４２】
また、表示装置１−２及び表示装置１−４の隣接検出部２０は、左側の短辺側面に配置された赤外線受光部２２１により、隣接配置された他の表示装置１（表示装置１−１及び表示装置１−３）があることを検出する。そのため、音出力制御部１２は、左側の音を出力させるスピーカ３１及びスピーカ３３への出力を停止させる。
【００４３】
これらの結果、図５において、表示システム１００は、領域Ａ２の部分にあるスピーカ３０への出力を停止させ、領域Ａ１及び領域Ａ３の部分にあるスピーカ３０への出力を行う。ここで、領域Ａ１は、左側の音出力を行うスピーカ３０の部分を示し、領域Ａ３は、右側の音出力を行うスピーカ３０の部分を示している。また、領域Ａ２は、出力を停止させる部分を示している。
【００４４】
また、図６は、本実施形態による表示装置１を縦置きに配置した場合の表示システム１００の一例を示す外観図である。
図６に示すように、表示システム１００は、縦置きに配置した表示装置１を４台備え、当該４台の表示装置１の表示部４０を並べて配置して１つの表示画面を表示するマルチ表示システムである。
【００４５】
図６に示す例では、左上に配置した表示装置１を表示装置１−１とし、右上に配置した表示装置１を表示装置１−２とする。また、左下に配置した表示装置１を表示装置１−３とし、右下に配置した表示装置１を表示装置１−４とする。
【００４６】
表示装置１−１及び表示装置１−３の隣接検出部２０は、右側の長辺側面に配置された赤外線受光部２２４により、隣接配置された他の表示装置１（表示装置１−２及び表示装置１−４）があることを検出する。そのため、音出力制御部１２は、右側の音を出力させるスピーカ３３及びスピーカ３４への出力を停止させる。
【００４７】
また、表示装置１−２及び表示装置１−４の隣接検出部２０は、左側の長辺側面に配置された赤外線受光部２２３により、隣接配置された他の表示装置１（表示装置１−１及び表示装置１−３）があることを検出する。そのため、音出力制御部１２は、左側の音を出力させるスピーカ３１及びスピーカ３２への出力を停止させる。
【００４８】
これらの結果、図６において、表示システム１００は、領域Ａ５の部分にあるスピーカ３０への出力を停止させ、領域Ａ４及び領域Ａ６の部分にあるスピーカ３０への出力を行う。ここで、領域Ａ４は、左側の音出力を行うスピーカ３０の部分を示し、領域Ａ６は、右側の音出力を行うスピーカ３０の部分を示している。また、領域Ａ５は、出力を停止させる部分を示している。
【００４９】
次に、図７を参照して、本実施形態による表示装置１の動作について詳細に説明する。
図７は、本実施形態による表示装置１を動作の一例を示すフローチャートである。
【００５０】
図７に示すように、表示装置１は、まず、表示部４０の配置向きを検出する（ステップＳ１０１）。すなわち、表示装置１の向き検出部１１は、重力の向きを検出し、重力の向きが、長辺方向Ｌ１と短辺方向Ｌ２とのいずれと一致するか否かにより、配置向きが横置きの向きであるか、縦置きの向きであるかを検出する。
【００５１】
次に、表示装置１は、配置向きに応じて、表示及び音出力を切り替える（ステップＳ１０２）。表示装置１の表示制御部１３は、向き検出部１１が検出した配置向きに応じて、画像の向きを切り替えて表示部４０に出力させる。また、表示装置１の音出力制御部１２は、向き検出部１１が検出した配置向きに応じて、横置ステレオ出力部ＳＴ１への出力と、縦置ステレオ出力部ＳＴ２への出力とを切り替える。
【００５２】
次に、表示装置１は、配置向きが横置きか縦置きかを判定する（ステップＳ１０３）。表示装置１は、向き検出部１１が検出した配置向きが横置きの向きである場合（ステップＳ１０３：横置き）に、処理をステップＳ１０４に進める。また、表示装置１は、向き検出部１１が検出した配置向きが縦置きの向きである場合（ステップＳ１０３：縦置き）に、処理をステップＳ１０６に進める。
【００５３】
ステップＳ１０４において、表示装置１は、長辺側を検出する赤外線受光部２２を停止する。すなわち、表示装置１の隣接検出部２０は、鉛直方向（短辺方向Ｌ２）に隣接する他の表示装置１の有無の検出を停止させるために、赤外線受光部２２３及び赤外線受光部２２４を停止させる（上述した図３参照）。
【００５４】
次に、表示装置１は、短辺側を検出する赤外線受光部２２を動作させる（ステップＳ１０５）。すなわち、隣接検出部２０は、水平方向（長辺方向Ｌ１）に隣接する他の表示装置１の有無の検出を動作させるために、赤外線受光部２２１及び赤外線受光部２２２を動作させる（上述した図３参照）。ステップＳ１０５の処理後に、表示装置１は、処理をステップＳ１０８に進める。
【００５５】
また、ステップＳ１０６において、表示装置１は、短辺側を検出する赤外線受光部２２を停止する。すなわち、隣接検出部２０は、鉛直方向（長辺方向Ｌ１）に隣接する他の表示装置１の有無の検出を停止させるために、赤外線受光部２２１及び赤外線受光部２２２を停止させる（上述した図４参照）。
【００５６】
次に、表示装置１は、長辺側を検出する赤外線受光部２２を動作させる（ステップＳ１０７）。すなわち、隣接検出部２０は、水平方向（短辺方向Ｌ２）に隣接する他の表示装置１の有無の検出を動作させるために、赤外線受光部２２３及び赤外線受光部２２４を動作させる（上述した図４参照）。ステップＳ１０７の処理後に、表示装置１は、処理をステップＳ１０８に進める。
【００５７】
ステップＳ１０８において、表示装置１は、隣接配置の他の表示装置１があるか否かを判定する。すなわち、表示装置１の音出力制御部１２は、隣接検出部２０の検出結果に基づいて、隣接配置の他の表示装置１があるか否かを判定する。音出力制御部１２は、隣接配置の他の表示装置１がある場合（ステップＳ１０８：ＹＥＳ）に、処理をステップＳ１０９に進める。また、音出力制御部１２は、隣接配置の他の表示装置１がない場合（ステップＳ１０８：ＮＯ）に、処理をステップＳ１１０に進める。
【００５８】
ステップＳ１０９において、音出力制御部１２は、隣接配置の他の表示装置１がある側のスピーカ３０を停止させる。すなわち、上述した図５及び図６に示すように、表示システム１００としては、領域Ａ２及び領域Ａ５のスピーカ３０の出力を停止させて、両端の領域Ａ１、領域Ａ３、領域Ａ４及び領域Ａ６のスピーカ３０から音を出力させる状態にする。ステップＳ１０９の処理後に、表示装置１は、処理をステップＳ１０１に戻す。
【００５９】
また、ステップＳ１１０において、音出力制御部１２は、隣接配置の他の表示装置１がない側のスピーカ３０を動作させる。ステップＳ１１０の処理後に、表示装置１は、処理をステップＳ１０１に戻す。
【００６０】
以上説明したように、本実施形態による表示装置１は、表示部４０と、向き検出部１１と、隣接検出部２０と、音出力制御部１２とを備える。表示部４０は、表示画面４１に画像を表示する。向き検出部１１は、表示部４０（表示画面４１）の配置向きを検出する。隣接検出部２０は、自装置の表示部４０に、隣接配置されている他の表示装置１の表示部４０の有無を検出する。音出力制御部１２は、向き検出部１１が検出した配置向きと、隣接検出部２０が検出した他の表示装置１の表示部４０の有無とに基づいて、自装置の表示部４０の水平方向に所定の間隔で配置されている少なくとも１対のスピーカ３０のうちの、水平方向に隣接配置されている他の表示装置１の側のスピーカ３０への音の出力を停止させる。
【００６１】
これにより、本実施形態による表示装置１は、向き検出部１１の検出結果に基づいて、水平方向を判定し、水平方向に隣接配置されている他の表示装置１の側のスピーカ３０への音の出力を停止させるようにしたため、表示部４０の配置向きに応じて適切にスピーカ３０への音の出力を停止させることができる。よって、本実施形態による表示装置１は、表示部４０の配置向きが変更されても、臨場感のある音を得ることができる。
また、音の出力に不適切なスピーカ３０を自動的に停止するため、本実施形態による表示装置１は、手動で停止させる必要がなく、利便性を向上させることができる。
【００６２】
また、本実施形態では、音出力制御部１２は、配置向きと、他の表示装置１の表示部４０の有無とに基づいて、水平方向に隣接配置されている他の表示装置１があるか否かを判定し、水平方向に隣接配置されている他の表示装置１がある場合に、水平方向に隣接配置されている他の表示装置１の側のスピーカ３０への音の出力を停止させる。
これにより、本実施形態による表示装置１は、簡易な構成により、表示部４０の配置向きに応じて適切にスピーカ３０への音の出力を停止させることができる。
【００６３】
また、本実施形態では、隣接検出部２０は、向き検出部１１が検出した配置向きに基づいて、水平方向に直交する鉛直方向の検出を停止する。
これにより、本実施形態による表示装置１は、隣接検出部２０は、自ら鉛直方向の検出を停止し、音出力制御部１２は、検出された隣接配置されている他の表示装置１の側の全てに対して、スピーカ３０への音の出力を停止させることができるため、音出力制御部１２の処理を簡略化することができる。
【００６４】
また、本実施形態による表示装置１は、横置ステレオ出力部ＳＴ１（第１ステレオ出力部）と、縦置ステレオ出力部ＳＴ２（第２ステレオ出力部）とを備える。横置ステレオ出力部ＳＴ１（第１ステレオ出力部）は、表示画面４１の平行する２辺に平行な第１方向（例えば、長辺方向Ｌ１）に所定の間隔で配置されている、少なくとも１対のスピーカ３０（音出力部）を有する。縦置ステレオ出力部ＳＴ２（第２ステレオ出力部）は、第１方向に直交する第２方向（例えば、短辺方向Ｌ２）に所定の間隔で配置されている少なくとも１対のスピーカ３０である。音出力制御部１２は、横置ステレオ出力部ＳＴ１と、縦置ステレオ出力部ＳＴ２とのうちから水平方向に対応する少なくとも１対のスピーカ３０を選択する。すなわち、音出力制御部１２は、配置向きに応じて、横置ステレオ出力部ＳＴ１への出力と、縦置ステレオ出力部ＳＴ２への出力とを切り替える。
【００６５】
これにより、本実施形態による表示装置１は、表示部４０の配置向き応じて、適切にスピーカ３０のステレオ出力を切り替えることができる。よって、本実施形態による表示装置１は、さらに臨場感のある音を得ることができる。また、本実施形態による表示装置１は、ステレオ出力を自動で切り替えることができるため、利便性を向上させることができる。
【００６６】
また、本実施形態による表示装置１は、表示画面４１の４つの角周辺部のそれぞれに配置されたスピーカ３０を備え、４つの角周辺部のそれぞれに配置されたスピーカ３０が、横置ステレオ出力部ＳＴ１と、縦置ステレオ出力部ＳＴ２との両方として機能する。
これにより、本実施形態による表示装置１は、表示部４０の配置向きが変更されても、効率良くステレオ出力による臨場感のある音を得ることができる。
【００６７】
また、本実施形態では、隣接検出部２０は、赤外線を発光する赤外線発光部２１と、他の表示装置１からの赤外線を受光する赤外線受光部２２とを備える。
これにより、本実施形態による表示装置１は、簡易な構成により隣接配置された他の表示装置１を適切に検出することができる。
【００６８】
また、本実施形態による表示システム１００は、上述した表示装置１を複数備え、当該複数の表示装置１の表示部４０を並べて配置して１つの表示画面を表示する。
これにより、本実施形態による表示システム１００は、上述した本実施形態による表示装置１と同様の効果を奏し、表示部４０の配置向きが変更されても、臨場感のある音を得ることができる。また、本実施形態による表示システム１００は、複数の表示装置１の表示部４０を並べて配置するだけで、容易にマルチ表示システムを実現することがでる。
【００６９】
また、本実施形態による制御方法は、表示画面４１に画像を表示する表示部４０を備える表示装置１の制御方法であって、向き検出ステップと、隣接検出ステップと、音出力制御ステップとを含む。向き検出ステップにおいて、向き検出部１１が、表示部４０の配置向きを検出する。隣接検出ステップにおいて、隣接検出部２０が、自装置の表示部４０に、隣接配置されている他の表示装置１の表示部４０の有無を検出する。音出力制御ステップにおいて、音出力制御部１２が、向き検出ステップによって検出された配置向きと、隣接検出ステップによって検出された他の表示装置１の表示部４０の有無とに基づいて、自装置の表示部４０の水平方向に所定の間隔で配置されている少なくとも１対のスピーカ３０のうちの、水平方向に隣接配置されている他の表示装置１の側のスピーカ３０への音の出力を停止させる。
これにより、本実施形態による表示システム１００は、上述した本実施形態による表示装置１と同様の効果を奏し、表示部４０の配置向きが変更されても、臨場感のある音を得ることができる。
【００７０】
[第２の実施形態]
次に、図面を参照して、第２の実施形態による表示装置１ａについて説明する。
図８は、第２の実施形態による表示装置１ａの一例を示すブロック図である。
図８に示すように、表示装置１ａは、向き検出部１１と、音出力制御部１２ａと、表示制御部１３と、隣接検出部２０ａと、スピーカ３０（３１〜３４）と、表示部４０とを備える。
【００７１】
なお、この図において、図２に示す構成と同一の構成には同一の符号を付与し、その説明を省略する。
また、本実施形態では、第１の実施形態のように、隣接検出部２０ａが自ら鉛直方向の検出を停止させずに、隣接検出部２０ａの制御に基づいて鉛直方向の検出を停止させる変形例について説明する。
【００７２】
音出力制御部１２ａは、配置向きに基づいて、水平方向に直交する鉛直方向を判定し、隣接検出部２０ａに、鉛直方向の検出を停止させる。音出力制御部１２ａのその他の処理は、上述した第１の実施形態の音出力制御部１２と同様である。
隣接検出部２０ａは、音出力制御部１２ａからの制御指示に基づいて、鉛直方向の検出を停止させる。隣接検出部２０ａのその他の処理は、上述した第１の実施形態の隣接検出部２０と同様である。
【００７３】
また、本実施形態による表示装置１ａの動作は、上述した音出力制御部１２ａ及び隣接検出部２０ａの処理を除いて第１の実施形態と同様であるため、ここではその説明を省略する。
【００７４】
以上説明したように、本実施形態による表示装置１ａは、向き検出部１１と、音出力制御部１２ａと、表示制御部１３と、隣接検出部２０ａとを備える。
これにより、本実施形態による表示装置１ａは、上述した第１の実施形態と同様の効果を奏し、表示部４０の配置向きが変更されても、臨場感のある音を得ることができる。
【００７５】
また、本実施形態では、音出力制御部１２ａは、配置向きに基づいて、水平方向に直交する鉛直方向を判定し、隣接検出部２０ａに、鉛直方向の検出を停止させる。
これにより、本実施形態による表示装置１ａは、音出力制御部１２ａが、鉛直方向の検出を停止させ、検出された隣接配置されている他の表示装置１ａの側の全てに対して、スピーカ３０への音の出力を停止させることができるため、音出力制御部１２ａの処理を簡略化することができる。
【００７６】
［第３の実施形態］
次に、図９を参照して、第３の実施形態による表示装置１ｂについて説明する。なお、本実施形態では、本発明の基本構成例について説明する。
図９は、本実施形態による表示装置１ｂの一例を示すブロック図である。
【００７７】
図９に示すように、表示装置１ｂは、表示部４００と、向き検出部１１０と、隣接検出部２００と、音出力制御部１２０と、複数の音出力部３００とを備える。
表示部４００は、例えば、液晶弟子スプレイなどであり、表示画面に画像を表示する。
向き検出部１１０は、表示部４００の配置向きを検出する。
【００７８】
隣接検出部２００は、自装置の表示部４００に、隣接配置されている他の表示装置１ｂの表示部４００の有無を検出する。
音出力制御部１２０は、外部から入力された音信号に基づく音を、音出力部３００から出力させる制御を行う。音出力制御部１２０は、向き検出部１１０が検出した配置向きと、隣接検出部２００が検出した他の表示装置１ｂの表示部４００の有無とに基づいて、自装置の表示部４００の水平方向に所定の間隔で配置されている少なくとも１対の音出力部３００のうちの、水平方向に隣接配置されている他の表示装置１ｂの側の音出力部３００への音の出力を停止させる。
【００７９】
音出力部３００は、例えば、スピーカであり、音出力制御部１２０の制御に基づいて、外部から入力された音信号に基づく音を出力する。音出力部３００は、少なくとも１対備えられている。
【００８０】
これにより、本実施形態による表示装置１ｂは、向き検出部１１０の検出結果に基づいて、水平方向を判定し、水平方向に隣接配置されている他の表示装置１ｂの側の音出力部３００への音の出力を停止させるようにしたため、表示部４００の配置向きに応じて適切に音出力部３００への音の出力を停止させることができる。よって、本実施形態による表示装置１ｂは、表示部４００の配置向きが変更されても、臨場感のある音を得ることができる。
【００８１】
［第４の実施形態］
次に、図１０を参照して、第４の実施形態による表示装置１ｃについて説明する。なお、本実施形態では、スピーカ３０の配置を変更した変形例について説明する。
図１０は、第４の実施形態による表示装置１ｃの一例を示す外観図である。
【００８２】
図１０において、表示装置１ｃは、４つのスピーカ３０ａ（３１ａ〜３４ａ）を備えている。なお、この図において、図１と同一に構成には、同一の符号を付与してその説明を省略する。また、本実施形態において、スピーカ３１ａ〜スピーカ３４ａは、表示装置１ｃが備える任意のスピーカを示す場合、又は特に区別しない場合には、スピーカ３０ａとして説明する。
【００８３】
４つのスピーカ３０ａ（３１ａ〜３４ａ）は、表示画面４１の各辺の中央部周辺領域に配置されている。スピーカ３１ａ及びスピーカ３２ａは、長辺方向Ｌ１に間隔をあけて配置され、横置ステレオ出力部ＳＴ１を構成している。また、スピーカ３３ａ及びスピーカ３４ａは、短辺方向Ｌ２に間隔をあけて配置され、縦置ステレオ出力部ＳＴ２を構成している。
本実施形態による表示装置１ｃのその他の構成は、第１又は第２の実施形態と同様であるため、ここではその説明を省略する。
【００８４】
また、本実施形態の表示装置１ｃは、上述した第１及び第２の実施形態と同様の効果を奏し、表示部４００の配置向きが変更されても、臨場感のある音を得ることができる。すなわち、上述した第１及び第２の実施形態の表示装置１（１ａ）は、４つのスピーカ３０（３１〜３４）の代わりに、４つのスピーカ３０ａ（３１ａ〜３４ａ）のように配置するようにしてもよい。
【００８５】
なお、本発明は、上記の各実施形態に限定されるものではなく、本発明の趣旨を逸脱しない範囲で変更可能である。
例えば、上記の各実施形態において、向き検出部１１（１１０）に、加速度センサなどの重力センサを使用する例を説明したが、これに限定されるものではなく、傾きを検出するジャイロセンサなどの他のセンサを使用するようにしてもよい。
【００８６】
また、上記の各実施形態において、表示部４０（４００）は、液晶ディスプレイである例を説明したが、これに限定されるものではなく、有機ＥＬ（Electro Luminescence）ディスプレイやＬＥＤ（Light Emitting Diode）ディスプレイなど、他の方式のディスプレイに適用してもよい。
【００８７】
また、上記の各実施形態において、表示装置１（１ａ〜１ｃ）を並べて表示システム１００を構成する例を説明したが、これに限定されるものではなく、表示部４０（４００）の部分を並べて配置可能な構成にしてもよい。
また、スピーカ３０（３０ａ）の配置及び台数は、上記の各実施形態に限定されるものではなく、他の配置及び台数であってもよい。
【００８８】
また、上記の実施形態において、表示システム１００は、４台の表示装置１を並べて配置する例を説明したが、これに限定されるものではなく、複数の表示装置１を並べて配置するものであれば、他の構成であってもよい。
【００８９】
また、上記の実施形態において、隣接検出部２０（２０ａ、２００）は、赤外線発光部２１及び赤外線受光部２２を使用して、連接配置された他の表示装置１（１ａ〜１ｃ）を検出する例を説明したが、これに限定されるものではない。隣接検出部２０（２０ａ、２００）は、例えば、磁石及び磁気センサを使用した方式など他の方式を使用して連接配置された他の表示装置１（１ａ〜１ｃ）を検出するようにしてもよい。
【００９０】
なお、上述した表示装置１（１ａ〜１ｃ）が備える各構成は、内部に、コンピュータシステムを有している。そして、上述した表示装置１（１ａ〜１ｃ）が備える各構成の機能を実現するためのプログラムをコンピュータ読み取り可能な記録媒体に記録して、この記録媒体に記録されたプログラムをコンピュータシステムに読み込ませ、実行することにより上述した表示装置１（１ａ〜１ｃ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００９１】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に表示装置１（１ａ〜１ｃ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００９２】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００９３】
１、１−１、１−２、１−３、１−４、１ａ、１ｂ、１ｃ  表示装置
１１、１１０  向き検出部
１２、１２ａ、１２０  音出力制御部
１３  表示制御部
２０、２０ａ、２００  隣接検出部
２１、２１１、２１２、２１３、２１４  赤外線発光部
２２、２２１、２２２、２２３、２２４  赤外線受光部
３０、３１、３２、３３、３４、３０ａ、３１ａ、３２ａ、３３ａ、３４ａ  スピーカ
４０、４００  表示部
１００  表示システム
３００  音出力部
ＳＴ１、ＳＴ１−１、ＳＴ１−２  横置ステレオ出力部
ＳＴ２、ＳＴ２−１、ＳＴ２−２  縦置ステレオ出力部
【図１】
2020088450.tif 000003
【図２】
2020088450.tif 000004
【図３】
2020088450.tif 000005
【図４】
2020088450.tif 000006
【図５】
2020088450.tif 000007
【図６】
2020088450.tif 000008
【図７】
2020088450.tif 000009
【図８】
2020088450.tif 000010
【図９】
2020088450.tif 000011
【図１０】
2020088450.tif 000012